【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
画像処理装置と撮像装置とが通信可能に接続された画像処理システムであって、
前記撮像装置は、
前記画像処理装置のリモートコントロールに応答して、撮影することにより得られた画像データを非圧縮形式でメモリに保持する保持手段と、
前記保持された非圧縮形式の画像データの現像処理を実行することによって圧縮形式の画像データを生成する生成手段と、
前記生成された圧縮形式の画像データを前記画像処理装置に送信する第１の送信手段と、を有し、
前記画像処理装置は、
前記第１の送信手段により送信された圧縮形式の画像データを画面に表示する表示手段と、
前記表示された圧縮形式の画像データと対応する非圧縮形式の画像データの現像処理に用いるための現像条件を設定する設定手段と、
前記設定された現像条件を前記撮像装置に送信する第２の送信手段と、を有し、
前記生成手段は、前記表示された圧縮形式の画像データと対応する非圧縮形式の画像データを前記メモリから読み出し、前記設定手段により設定されて前記第２の送信手段により送信された現像条件に基づいて現像処理を実行することを特徴とする画像処理システム。
【請求項２】
前記現像条件は、現像パラメータ、前記非圧縮形式の画像データの現像開始位置、前記非圧縮形式の画像データの現像範囲及び前記圧縮形式の画像データの生成サイズのうち少なくとも１つに関する情報を含み、前記圧縮形式の画像データの生成サイズは、前記画面の表示エリアのサイズに対応することを特徴とする請求項１に記載の画像処理システム。
【請求項３】
画像処理装置に通信可能に接続された撮像装置であって、
前記画像処理装置のリモートコントロールに応答して、撮影することにより得られた画像データを非圧縮形式でメモリに保持する保持手段と、
前記保持された非圧縮形式の画像データの現像処理を実行することによって圧縮形式の画像データを生成する生成手段と、
前記生成された圧縮形式の画像データを前記画像処理装置に送信する送信手段と、
前記送信された圧縮形式の画像データと対応する非圧縮形式の画像データの現像処理に用いるための現像条件を前記画像処理装置から受信する受信手段と、を有し、
前記生成手段は、前記送信された圧縮形式の画像データと対応する非圧縮形式の画像データを前記メモリから読み出し、前記画像処理装置から受信した現像条件に基づいて現像処理を実行することを特徴とする撮像装置。
【請求項４】
前記現像条件は、現像パラメータ、前記非圧縮形式の画像データの現像開始位置、前記非圧縮形式の画像データの現像範囲及び前記圧縮形式の画像データの生成サイズのうち少なくとも１つに関する情報を含み、
前記圧縮形式の画像データの生成サイズは、前記画像処理装置において前記圧縮形式の画像データを表示する画面の表示エリアのサイズに対応することを特徴とする請求項３に記載の撮像装置。
【請求項５】
撮像装置が通信可能に接続された画像処理装置であって、
前記撮像装置をリモートコントロールすることによって前記撮像装置で撮影して得られた画像データを圧縮形式で前記撮像装置から受信する受信手段と、
前記受信された圧縮形式の画像データを画面に表示する表示手段と、
前記表示された圧縮形式の画像データと対応する非圧縮形式の画像データの現像処理に用いるための現像条件を設定する設定手段と、
前記設定手段により設定された現像条件を前記撮像装置に送信する送信手段と、を有することを特徴とする画像処理装置。
【請求項６】
前記現像条件は、現像パラメータ、前記非圧縮形式の画像データの現像開始位置、前記非圧縮形式の画像データの現像範囲及び前記圧縮形式の画像データの生成サイズのうち少なくとも１つに関する情報を含み、
前記圧縮形式の画像データの生成サイズは、前記画面の表示エリアのサイズに対応することを特徴とする請求項５に記載の画像処理装置。
【請求項７】
画像処理装置に通信可能に接続された撮像装置の制御方法であって、
前記画像処理装置のリモートコントロールに応答して、撮影することにより得られた画像データを非圧縮形式でメモリに保持するステップと、
前記保持された非圧縮形式の画像データの現像処理を実行することによって圧縮形式の画像データを生成する生成ステップと、
前記生成された圧縮形式の画像データを前記画像処理装置に送信する送信ステップと、
前記送信された圧縮形式の画像データと対応する非圧縮形式の画像データの現像処理に用いるための現像条件を前記画像処理装置から受信する受信ステップと、
前記送信された圧縮形式の画像データと対応する非圧縮形式の画像データを前記メモリから読み出し、前記画像処理装置から受信した現像条件に基づいて現像処理を実行することによって、圧縮形式の画像データを生成するステップと、を有することを特徴とする制御方法。
【請求項８】
撮像装置が通信可能に接続された画像処理装置の制御方法であって、
前記画像処理装置の受信手段が、前記撮像装置をリモートコントロールすることによって前記撮像装置で撮影して得られた画像データを圧縮形式で前記撮像装置から受信する受信ステップと、
前記画像処理装置の表示手段が、前記受信された圧縮形式の画像データを画面に表示する表示ステップと、
前記画像処理装置の設定手段が、前記表示された圧縮形式の画像データと対応する非圧縮形式の画像データの現像処理の現像条件を設定する設定ステップと、
前記画像処理装置の送信手段が、前記設定された現像条件を前記撮像装置に送信する送信ステップと、を有することを特徴とする制御方法。
【請求項９】
画像処理装置に通信可能に接続された撮像装置のコンピュータに、
前記画像処理装置のリモートコントロールに応答して、撮影することにより得られた画像データを非圧縮形式でメモリに保持するステップと、
前記保持された非圧縮形式の画像データの現像処理を実行することによって圧縮形式の画像データを生成する生成ステップと、
前記生成された圧縮形式の画像データを前記画像処理装置に送信する送信ステップと、
前記送信された圧縮形式の画像データと対応する非圧縮形式の画像データの現像処理に用いるための現像条件を前記画像処理装置から受信する受信ステップと、
前記送信された圧縮形式の画像データと対応する非圧縮形式の画像データを前記メモリから読み出し、前記画像処理装置から受信した現像条件に基づいて現像処理を実行することによって、圧縮形式の画像データを生成するステップとを実行させることを特徴とするプログラム。
【請求項１０】
撮像装置が通信可能に接続された画像処理装置のコンピュータに、
前記撮像装置をリモートコントロールすることによって前記撮像装置で撮影して得られた画像データを圧縮形式で前記撮像装置から受信する受信ステップと、
前記受信された圧縮形式の画像データを画面に表示する表示ステップと、
前記表示された圧縮形式の画像データと対応する非圧縮形式の画像データの現像処理の現像条件を設定する設定ステップと、
前記設定された現像条件を前記撮像装置に送信する送信ステップとを実行させることを特徴とするプログラム。
【手続補正２】
【補正対象書類名】明細書
【補正対象項目名】０００７
【補正方法】変更
【補正の内容】
【０００７】
上記課題を解決し、目的を達成するために、本発明の画像処理システムは、画像処理装置と撮像装置とが通信可能に接続された画像処理システムであって、前記撮像装置は、前記画像処理装置のリモートコントロールに応答して、撮影することにより得られた画像データを非圧縮形式でメモリに保持する保持手段と、前記保持された非圧縮形式の画像データの現像処理を実行することによって圧縮形式の画像データを生成する生成手段と、前記生成された圧縮形式の画像データを前記画像処理装置に送信する第１の送信手段と、を有し、前記画像処理装置は、前記第１の送信手段により送信された圧縮形式の画像データを画面に表示する表示手段と、前記表示された圧縮形式の画像データと対応する非圧縮形式の画像データの現像処理に用いるための現像条件を設定する設定手段と、前記設定された現像条件を前記撮像装置に送信する第２の送信手段と、を有し、前記生成手段は、前記表示された圧縮形式の画像データと対応する非圧縮形式の画像データを前記メモリから読み出し、前記設定手段により設定されて前記第２の送信手段により送信された現像条件に基づいて現像処理を実行する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】